(57)【要約】【課題】利用者の利便性向上並びに出庫精算の円滑化を図り得るフラップ式駐車装置の遠隔操作システムを提供する。【解決手段】利用者によって所持され且つ専用アプリケーションがインストールされた携帯端末５００と、インターネット経由で携帯端末５００が接続され、携帯端末５００による専用アプリケーションでの駐車料金決済を管理する管理サーバ６００と、入庫時には、車両検知器１００からの車両検知信号に基づき、検索信号を発信して携帯端末５００と無線接続された後、携帯端末５００からの入庫認証信号を受信した場合にフラップ板２００から精算機３００への通常入庫信号を遮断した状態でフラップ板２００へ上昇指令を出力する一方、出庫時には、携帯端末５００による専用アプリケーションでの駐車料金決済の完了信号に基づきフラップ板２００へ下降指令を出力するＩｏＴデバイス７００とを備える。【選択図】図１
2020186616.tif 000002
【特許請求の範囲】
【請求項１】
駐車位置に駐車された車両を検知する車両検知器と、
前記駐車位置に昇降自在に設置され且つ前記車両検知器からの車両検知信号に基づき上昇して車両をロックするフラップ板と、
前記車両の駐車料金を精算し前記フラップ板を制御する精算機と
を備えたフラップ式駐車装置の遠隔操作システムであって、
利用者によって所持され且つ専用アプリケーションがインストールされた携帯端末と、
インターネット経由で携帯端末が接続され、該携帯端末による専用アプリケーションでの駐車料金決済を管理する管理サーバと、
入庫時には、前記車両検知器からの車両検知信号に基づき、検索信号を発信して前記携帯端末と無線接続された後、前記携帯端末からの入庫認証信号を受信した場合にフラップ板から精算機への入庫信号を遮断した状態でフラップ板へ上昇指令を出力する一方、出庫時には、前記携帯端末による専用アプリケーションでの駐車料金決済の完了信号に基づきフラップ板へ下降指令を出力するＩｏＴデバイスと
を備えたフラップ式駐車装置の遠隔操作システム。
【請求項２】
前記専用アプリケーションは、利用者の会員登録により前記管理サーバから携帯端末へインストールされる請求項１記載のフラップ式駐車装置の遠隔操作システム。
【発明の詳細な説明】
【技術分野】
【０００１】
本発明は、フラップ式駐車装置の遠隔操作システムに関するものである。
【背景技術】
【０００２】
一般に、フラップ式駐車装置は、地面に設置されたフラップ板を昇降させる形式の装置であって、時間貸し駐車場や月極駐車場として広く利用されている。
【０００３】
従来、前記フラップ式駐車装置において、出庫する際には、利用者が精算機で駐車位置番号を入力し、駐車時間に応じた料金を現金又はカードで支払い、フラップ板が下降したことを確認した上で自分の車両を退場させるようになっている。
【０００４】
尚、前記フラップ式駐車装置と関連した一般的技術水準を示すものとしては、例えば、特許文献１がある。
【先行技術文献】
【特許文献】
【０００５】
【特許文献１】特開平１１−７１９３２号公報
【発明の概要】
【発明が解決しようとする課題】
【０００６】
しかしながら、前述のように、出庫時にその都度、利用者が精算機に対し駐車位置番号の入力と料金の支払いを行うのでは、操作が煩わしく時間も掛かるという欠点を有していた。
【０００７】
又、出庫が重なる時間帯には、精算を行う利用者で精算機周辺が混み合い、駐車時間が延長されて料金が増額されてしまうこともあり、改善が望まれていた。
【０００８】
本発明は、上記従来の問題点に鑑みてなしたもので、利用者の利便性向上並びに出庫精算の円滑化を図り得るフラップ式駐車装置の遠隔操作システムを提供しようとするものである。
【課題を解決するための手段】
【０００９】
本発明は、駐車位置に駐車された車両を検知する車両検知器と、
前記駐車位置に昇降自在に設置され且つ前記車両検知器からの車両検知信号に基づき上昇して車両をロックするフラップ板と、
前記車両の駐車料金を精算し前記フラップ板を制御する精算機と
を備えたフラップ式駐車装置の遠隔操作システムであって、
利用者によって所持され且つ専用アプリケーションがインストールされた携帯端末と、
インターネット経由で携帯端末が接続され、該携帯端末による専用アプリケーションでの駐車料金決済を管理する管理サーバと、
入庫時には、前記車両検知器からの車両検知信号に基づき、検索信号を発信して前記携帯端末と無線接続された後、前記携帯端末からの入庫認証信号を受信した場合にフラップ板から精算機への入庫信号を遮断した状態でフラップ板へ上昇指令を出力する一方、出庫時には、前記携帯端末による専用アプリケーションでの駐車料金決済の完了信号に基づきフラップ板へ下降指令を出力するＩｏＴデバイスと
を備えたフラップ式駐車装置の遠隔操作システムに係るものである。
【００１０】
前記フラップ式駐車装置の遠隔操作システムにおいて、前記専用アプリケーションは、利用者の会員登録により前記管理サーバから携帯端末へインストールされるようにすることができる。
【発明の効果】
【００１１】
本発明のフラップ式駐車装置の遠隔操作システムによれば、利用者の利便性向上並びに出庫精算の円滑化を図り得るという優れた効果を奏し得る。
【図面の簡単な説明】
【００１２】
【図１】本発明のフラップ式駐車装置の遠隔操作システムの実施例を示す概要構成図である。
【図２】本発明のフラップ式駐車装置の遠隔操作システムの実施例における入庫操作を示す制御フロー図である。
【図３】本発明のフラップ式駐車装置の遠隔操作システムの実施例における出庫操作を示す制御フロー図である。
【発明を実施するための形態】
【００１３】
以下、本発明の実施の形態を添付図面を参照して説明する。
【００１４】
図１〜図３は本発明のフラップ式駐車装置の遠隔操作システムの実施例である。
【００１５】
フラップ式駐車装置は、図１に示す如く、車両検知器１００と、フラップ板２００と、精算機３００とを備えている。
【００１６】
前記車両検知器１００は、駐車位置４００に駐車された車両Ｃを検知する検知器である。前記車両検知器１００としては、例えば、駐車位置４００に埋設され車両Ｃの接近に伴うインダクタンスの変化により車両Ｃを検知するループコイル式のものを採用することができる。但し、これに限定されるものではない。
【００１７】
前記フラップ板２００は、前記駐車位置４００に昇降自在に設置され、前記車両検知器１００からの車両検知信号に基づき上昇して車両Ｃをロックするものである。
【００１８】
前記精算機３００は、前記車両Ｃの駐車料金を精算し前記フラップ板２００を制御するものである。
【００１９】
そして、本実施例の遠隔操作システムは、携帯端末５００と、管理サーバ６００と、ＩｏＴデバイス７００とを備えている。
【００２０】
前記携帯端末５００は、前記利用者によって所持され且つ専用アプリケーションがインストールされたスマートフォンやタブレット等の端末である。
【００２１】
前記管理サーバ６００は、インターネット経由で携帯端末５００が接続され、該携帯端末５００による専用アプリケーションでの駐車料金決済を管理するようになっている。
【００２２】
前記ＩｏＴデバイス７００は、入庫時には、前記車両検知器１００からの車両検知信号に基づき、検索信号を発信して前記携帯端末５００と無線接続された後、前記携帯端末５００からの入庫認証信号を受信した場合にフラップ板２００から精算機３００への通常入庫信号を遮断した状態でフラップ板２００へ上昇指令を出力するようになっている。一方、前記ＩｏＴデバイス７００は、出庫時には、前記携帯端末５００による専用アプリケーションでの駐車料金決済の完了信号に基づきフラップ板２００へ下降指令を出力するようになっている。前記ＩｏＴデバイス７００は、電池（図示せず）が内蔵され、前記携帯端末５００に対し、Bluetooth（登録商標）、特にBluetooth Low Energy（BLE）等の近距離無線通信規格における低消費電力の通信モードで接続されるようになっている。
【００２３】
次に、上記実施例の作用を説明する。
【００２４】
利用者は、事前にウェブサイトで会員登録を行って管理サーバ６００から専用アプリケーションを携帯端末５００へインストールしておく。これにより、利用者は、専用アプリケーションでフラップ式駐車装置の入庫・決済を行うことが可能となる（図２のステップＳ１００参照）。
【００２５】
先ず、事前に会員登録を済ませた利用者が車両Ｃを入庫する場合について説明する。
【００２６】
車両検知器１００は、常に車両Ｃが駐車位置４００に駐車されたか否かを検知している（図２のステップＳ１１０参照）。
【００２７】
前記車両検知器１００によって車両Ｃが検知されると、ＩｏＴデバイス７００は前記車両検知器１００からの車両検知信号を受信する（図２のステップＳ１２０参照）。
【００２８】
前記ＩｏＴデバイス７００は、前記車両検知器１００からの車両検知信号を受信すると、検索信号を発信し（図２のステップＳ１３０参照）、該検索信号を利用者の携帯端末５００が受信すると（図２のステップＳ１４０参照）、該携帯端末５００はＩｏＴデバイス７００と無線接続される（図２のステップＳ１５０参照）。
【００２９】
前記携帯端末５００がＩｏＴデバイス７００と無線接続されると、専用アプリケーションが自動起動され（図２のステップＳ１６０参照）、該専用アプリケーション上で利用者が入庫認証を行う（図２のステップＳ１７０参照）。前記ＩｏＴデバイス７００が前記携帯端末５００からの入庫認証信号を受信すると（図２のステップＳ１８０参照）、該ＩｏＴデバイス７００は、フラップ板２００から精算機３００への通常入庫信号を遮断した状態で（図２のステップＳ１９０参照）、フラップ板２００へ上昇指令を出力し（図２のステップＳ２００参照）、フラップ板２００が上昇する（図２のステップＳ２１０参照）。即ち、前記専用アプリケーション上で利用者が入庫認証を行った場合、精算機３００は、フラップ板２００から切り離されたものとなる。
【００３０】
因みに、前記ＩｏＴデバイス７００が携帯端末５００から設定時間以内に入庫認証信号を受信しなかった場合、フラップ板２００へ上昇指令は出力されるが、信号遮断は行われないため、前記フラップ板２００は上昇しつつ通常入庫信号を精算機３００へ出力する（図２のステップＳ２２０参照）。これにより、前記精算機３００は、専用アプリケーションによる駐車料金決済が行われない入庫として、通常入庫処理を行う（図２のステップＳ２３０参照）。
【００３１】
次に、事前に会員登録を済ませた利用者が入庫した車両Ｃを出庫する場合について説明する。
【００３２】
前記ＩｏＴデバイス７００からは常時、検索信号が発信されており（図３のステップＳ３００参照）、利用者が駐車場に近づくと（図３のステップＳ３１０参照）、前記検索信号が利用者の携帯端末５００で受信され（図３のステップＳ３２０参照）、該携帯端末５００はＩｏＴデバイス７００と無線接続される（図３のステップＳ３３０参照）。
【００３３】
前記携帯端末５００がＩｏＴデバイス７００と無線接続されると、専用アプリケーションが自動起動され（図３のステップＳ３４０参照）、該専用アプリケーション上で利用者は駐車料金決済を行うことができる（図３のステップＳ３５０参照）。
【００３４】
前記専用アプリケーション上で利用者が駐車料金決済を行うと、管理サーバ６００において駐車料金決済が完了したことが確認されると共に（図３のステップＳ３６０参照）、前記ＩｏＴデバイス７００からフラップ板２００へ下降指令が出力され（図３のステップＳ３７０参照）、フラップ板２００が下降する（図３のステップＳ３８０参照）。
【００３５】
本実施例の場合、従来のように、出庫時にその都度、利用者が精算機３００に対し駐車位置番号の入力と料金の支払いを行う必要がなくなり、操作が容易で時間も掛からなくなる。
【００３６】
又、出庫が重なる時間帯に、精算を行う利用者で精算機３００周辺が混み合うようなことも避けられ、駐車時間が延長されて料金が増額されてしまうこともない。
【００３７】
こうして、利用者の利便性向上並びに出庫精算の円滑化を図り得る。
【００３８】
そして、本実施例の場合、前記専用アプリケーションは、利用者の会員登録により前記管理サーバ６００から携帯端末５００へインストールされるようになっている。このように構成すると、会員登録した利用者のみが専用アプリケーションをインストールすることが可能となり、精算機３００で駐車料金の支払いを行う一般の利用者との差別化を図ることができると共に、顧客情報を駐車場の運営に役立てることも可能となる。
【００３９】
尚、本発明のフラップ式駐車装置の遠隔操作システムは、上述の実施例にのみ限定されるものではなく、本発明の要旨を逸脱しない範囲内において種々変更を加え得ることは勿論である。
【符号の説明】
【００４０】
１００     車両検知器
２００     フラップ板
３００     精算機
４００     駐車位置
５００     携帯端末
６００     管理サーバ
７００     ＩｏＴデバイス
Ｃ     車両
【図１】
2020186616.tif 000003
【図２】
2020186616.tif 000004
【図３】
2020186616.tif 000005